(57)【特許請求の範囲】
【請求項１】
正面視で上側に導風管を有する漢方生薬乾燥装置であって、主にボディー外殻を含み、前記ボディー外殻の中には乾燥チャンバと輸送チャンバとが設置され、前記ボディー外殻の上端面にはモータと前記乾燥チャンバの中へ風を吹かせるエアヒータとが設置され、前記モータの前側には装置に動力を提供する駆動機構が設置され、
前記乾燥チャンバの中には乾燥輸送機構と押し送り機構とが設置され、前記押し送り機構は回転生薬下ろし板を含み、前記乾燥チャンバの下端壁にはＴ型支持ブロックが設置され、また前記Ｔ型支持ブロックの上端が前記回転生薬下ろし板とヒンジにより連結され、前記回転生薬下ろし板の下端には二つの支持ばねが固定され、前記支持ばねの下端が前記Ｔ型支持ブロックと固定的に連結され、前記Ｔ型支持ブロックの下端には前記Ｔ型支持ブロックの上下昇降を制御するラックが固定され、前記ラックの下端が前記乾燥チャンバの下端壁を貫通し、且つ前記輸送チャンバの中に位置しており、前記輸送チャンバの右端壁には支持板が固定され、前記ラックの下端が前記支持板の左端を貫通し、前記回転生薬下ろし板の中には上方へ開口し、且つ左端壁が前記乾燥チャンバに連通された移動チャンバが設置され、前記移動チャンバの前後端壁の中にはいずれも前記移動チャンバに連通された移動溝が形成され、前記移動チャンバの中にはスライド板が設置され、前記スライド板が復帰ばねにより前記移動チャンバの右端壁と連結され、前記スライド板の前後両端にはいずれも一端が前記移動溝の中に位置している遮りブロックが固定され、前記乾燥チャンバの後端壁には方形ブロックが固定され、前記乾燥チャンバの後端壁にはまた固定軸が固定され、前記固定軸には固定滑車が回転できるように連結され、前記回転生薬下ろし板の右端には引きひもが連結され、前記回転生薬下ろし板の下端面にはまた固定ブロックが固定され、前記固定ブロックの前端には旋転軸が回転できるように連結され、前記旋転軸にはロールブラインド輪が固定され、前記旋転軸と前記固定ブロックとが捻りばねにより連結され、前記ロールブラインド輪には下端が前記乾燥チャンバの下端壁と連結されたロールブラインドが巻きついており、
前記輸送チャンバの中には伝動機構が設置され、前記伝動機構が前記乾燥輸送機構の動力を前記押し送り機構に伝達でき、前記押し送り機構が第二乾燥ベルトにある生薬を第一乾燥ベルトに転送でき、これにより生薬を循環に乾燥させ、
前記駆動機構は前記モータの前端と動力が伝達できるように連結されたモータ軸を含み、前記モータ軸の前端には第一スプロケットが設置され、前記乾燥チャンバの後端壁には二本の第一回転軸と二本の第二回転軸とが回転できるように連結され、前記輸送チャンバの後端壁には二本の第三回転軸が回転できるように連結され、左側の前記第一回転軸と左側の前記第二回転軸と、左側の前記第三回転軸との前端がいずれも外部空間の中に位置しており、前記第一回転軸の前端には第二スプロケットが固定され、前記第二回転軸の前端には第三スプロケットが固定され、前記第三回転軸の前端には第四スプロケットが固定され、前記第一スプロケットがチェーンにより前記第二スプロケットと、前記第三スプロケットと、前記第四スプロケットと連結され、前記エアヒータの上端と前記乾燥チャンバの上端壁とが導風管により連通され、前記エアヒータの前端にはファン軸が回転できるように連結され、前記ファン軸の前端には第一ベルトプーリが固定され、前記モータ軸にはまた第二ベルトプーリが固定され、前記第一ベルトプーリと前記第二ベルトプーリとがベルトにより連結され、前記導風管には除湿ブロックが連結され、前記導風管の中には湿度センサーが設置され、前記乾燥チャンバの上端壁及び前記輸送チャンバの左端壁にはいずれも外部空間に連通された抜き孔が設置され、前記抜き孔の中には前記抜き孔の開閉を制御する電磁スイッチが設置されており、
前記乾燥輸送機構は二本の前記第一回転軸の後端に固定された二つの第一ローラを含み、二本の前記第二回転軸の後端にはいずれも第二ローラが固定され、二つの前記第一ローラが前記第一乾燥ベルトにより連結され、二つの前記第二ローラが前記第二乾燥ベルトにより連結され、二本の前記第三回転軸の後端にはいずれも第三ローラが固定され、二つの前記第三ローラが伝送ベルトにより連結されており、
前記伝動機構は右側の前記第三回転軸と連結されたスライドギヤを含み、前記スライドギヤの中には前方へ開口した環状チャンバが設置され、前記環状チャンバの中には移動ブロックが設置され、前記乾燥チャンバの下端壁の中には前記輸送チャンバに連通された貫通孔が設置され、前記乾燥チャンバの下端壁の中にはまた前記貫通孔を貫通しているスライドチャンバが設置され、前記スライドチャンバの中には電磁石及び前記電磁石と反発し合えるまたは吸引し合える移動板が設置され、前記移動板の左端にはロープが固定され、前記ロープの上端が前記スライドチャンバの上端壁と前記輸送チャンバの前端壁とを貫通し、且つ前記移動ブロックと連結され、前記輸送チャンバの前端壁には後端が前記スライドギヤと接触した圧縮ばねが二つ固定され、右側の前記第三回転軸の右側には後端が前記輸送チャンバの後端壁と回転できるように連結された従動軸が設置され、前記従動軸には半ギヤと従動ギヤとが設置され、前記従動ギヤの左端が前記スライドギヤと噛み合うように連結され、前記半ギヤが前記半ギヤの右側の前記ラックと噛み合うように連結され、前記従動軸の前側には前端が前記輸送チャンバの前端壁と回転できるように連結された転び軸が設置され、前記転び軸にはローリングホイールと前記スライドギヤと噛み合える固定ギヤとが固定され、前記引きひもが前記固定滑車の上端を通し、また前記輸送チャンバの中に設置された前記ローリングホイールと連結されており、
前記圧縮ばねの弾力が前記スライドギヤがスプラインでスライドすることで生じた摩擦力より大きく、
前記電磁石の磁力が前記スライドギヤがスプラインでスライドすることで生じた摩擦力より大きく、
前記半ギヤが回転して前記ラックと噛み合う時にラックの上昇高度が二つの乾燥ベルトの間隔の高度距離より大きく、
前記ローリングホイールの連結端のロープの牽引力が前記回転生薬下ろし板の一端の前記ロープの牽引力より大きいことを特徴とする漢方生薬乾燥装置。
【発明の詳細な説明】
【技術分野】
【０００１】
本発明は生薬乾燥技術分野を取り上げて、具体的には漢方生薬乾燥装置である。 
【背景技術】
【０００２】
採られた生薬の含水量が比較的に高く、ほとんどの生薬は直接使用される又は貯蔵されることができないため、生薬を使用する又は貯蔵する前に乾燥処理をしなくてはならなく、それにより生薬の含水率を下げる。現段階、人々が生薬を乾燥させる時、よく日向干しの方法で生薬を乾燥させ、しかし、それでは乾燥効率が低く、あるいは焙炉などの乾燥装置を利用して生薬を乾燥させるが、それでは熱量の浪費をもたらし、また空気もある程度汚染される。 
【先行技術文献】
【特許文献】
【０００３】
【特許文献１】中国特許出願公開第１０７４６２０１８号明細書
【発明の概要】
【発明が解決しようとする課題】
【０００４】
本発明は生薬乾燥装置を提供し、作業効率が低く、エネルギーを浪費するなどの問題を解決し、作業効率を上げ、エネルギーを節約して排出を削減することを目的とする。 
【課題を解決するための手段】
【０００５】
本発明は以下の技術プランによって実現される： 
【０００６】
本発明の漢方生薬乾燥装置は、主にボディー外殻を含み、前記ボディー外殻の中には乾燥チャンバと輸送チャンバとが設置され、前記ボディー外殻の上端面にはモータと前記乾燥チャンバの中へ風を吹かせるエアヒータとが設置され、前記モータの前側には装置に動力を提供する駆動機構が設置され、 
前記乾燥チャンバの中には乾燥輸送機構と押し送り機構とが設置され、前記押し送り機構は回転生薬下ろし板を含み、前記乾燥チャンバの下端壁にはＴ型支持ブロックが設置され、また前記Ｔ型支持ブロックの上端が前記回転生薬下ろし板とヒンジにより連結され、前記回転生薬下ろし板の下端には二つの支持ばねが固定され、前記支持ばねの下端が前記Ｔ型支持ブロックと固定的に連結され、前記Ｔ型支持ブロックの下端には前記Ｔ型支持ブロックの上下昇降を制御するラックが固定され、前記ラックの下端が前記乾燥チャンバの下端壁を貫通し、且つ前記輸送チャンバの中に位置しており、前記輸送チャンバの右端壁には支持板が固定され、前記ラックの下端が前記支持板の左端を貫通し、前記回転生薬下ろし板の中には上方へ開口し、且つ左端壁が前記乾燥チャンバに連通された移動チャンバが設置され、前記移動チャンバの前後端壁の中にはいずれも前記移動チャンバに連通された移動溝が形成され、前記移動チャンバの中にはスライド板が設置され、前記スライド板が復帰ばねにより前記移動チャンバの右端壁と連結され、前記スライド板の前後両端にはいずれも一端が前記移動溝の中に位置している遮りブロックが固定され、前記乾燥チャンバの後端壁には方形ブロックが固定され、前記乾燥チャンバの後端壁にはまた固定軸が固定され、前記固定軸には固定滑車が回転できるように連結され、前記回転生薬下ろし板の右端には引きひもが連結され、前記回転生薬下ろし板の下端面にはまた固定ブロックが固定され、前記固定ブロックの前端には旋転軸が回転できるように連結され、前記旋転軸にはロールブラインド輪が固定され、前記旋転軸と前記固定ブロックとが捻りばねにより連結され、前記ロールブラインド輪には下端が前記乾燥チャンバの下端壁と連結されたロールブラインドが巻きついており、 
前記輸送チャンバの中には伝動機構が設置され、前記伝動機構が前記乾燥輸送機構の動力を前記押し送り機構に伝達でき、前記押し送り機構が第二乾燥ベルトにある生薬を第一乾燥ベルトに転送でき、これにより生薬を循環に乾燥させることが実現される。 
【０００７】
更に、前記駆動機構は前記モータの前端と動力が伝達できるように連結されたモータ軸を含み、前記モータ軸の前端には第一スプロケットが設置され、前記乾燥チャンバの後端壁には二本の第一回転軸と二本の第二回転軸とが回転できるように連結され、前記輸送チャンバの後端壁には二本の第三回転軸が回転できるように連結され、左側の前記第一回転軸と左側の前記第二回転軸と、左側の前記第三回転軸との前端がいずれも外部空間の中に位置しており、前記第一回転軸の前端には第二スプロケットが固定され、前記第二回転軸の前端には第三スプロケットが固定され、前記第三回転軸の前端には第四スプロケットが固定され、前記第一スプロケットがチェーンにより前記第二スプロケットと、前記第三スプロケットと、前記第四スプロケットと連結され、前記エアヒータの上端と前記乾燥チャンバの上端壁とが導風管により連通され、前記エアヒータの前端にはファン軸が回転できるように連結され、前記ファン軸の前端には第一ベルトプーリが固定され、前記モータ軸にはまた第二ベルトプーリが固定され、前記第一ベルトプーリと前記第二ベルトプーリとがベルトにより連結され、前記導風管には除湿ブロックが連結され、前記導風管の中には湿度センサーが設置され、前記乾燥チャンバの上端壁及び前記輸送チャンバの左端壁にはいずれも外部空間に連通された抜き孔が設置され、前記抜き孔の中には前記抜き孔の開閉を制御する電磁スイッチが設置されている。 
【０００８】
更に、前記乾燥輸送機構は二本の前記第一回転軸の後端に固定された二つの第一ローラを含み、二本の前記第二回転軸の後端にはいずれも第二ローラが固定され、二つの前記第一ローラが前記第一乾燥ベルトにより連結され、二つの前記第二ローラが前記第二乾燥ベルトにより連結され、二本の前記第三回転軸の後端にはいずれも第三ローラが固定され、二つの前記第三ローラが伝送ベルトにより連結されている。 
【０００９】
更に、前記伝動機構は右側の前記第三回転軸と連結されたスライドギヤを含み、前記スライドギヤの中には前方へ開口した環状チャンバが設置され、前記環状チャンバの中には移動ブロックが設置され、前記乾燥チャンバの下端壁の中には前記輸送チャンバに連通された貫通孔が設置され、前記乾燥チャンバの下端壁の中にはまた前記貫通孔を貫通しているスライドチャンバが設置され、前記スライドチャンバの中には電磁石及び前記電磁石と反発し合えるまたは吸引し合える移動板が設置され、前記移動板の左端にはロープが固定され、前記ロープの上端が前記スライドチャンバの上端壁と前記輸送チャンバの前端壁とを貫通し、且つ前記移動ブロックと連結され、前記輸送チャンバの前端壁には後端が前記スライドギヤと接触した圧縮ばねが二つ固定され、右側の前記第三回転軸の右側には後端が前記輸送チャンバの後端壁と回転できるように連結された従動軸が設置され、前記従動軸には半ギヤと従動ギヤとが設置され、前記従動ギヤの左端が前記スライドギヤと噛み合うように連結され、前記半ギヤが前記半ギヤの右側の前記ラックと噛み合うように連結され、前記従動軸の前側には前端が前記輸送チャンバの前端壁と回転できるように連結された転び軸が設置され、前記転び軸にはローリングホイールと前記スライドギヤと噛み合える固定ギヤとが固定され、前記引きひもが前記固定滑車の上端を通し、また前記輸送チャンバの中に設置された前記ローリングホイールと連結されている。 
【００１０】
更に、前記圧縮ばねの弾力が前記スライドギヤがスプラインでスライドすることで生じた摩擦力より大きい。 
【００１１】
更に、前記電磁石の磁力が前記スライドギヤがスプラインでスライドすることで生じた摩擦力より大きい。 
【００１２】
更に、前記半ギヤが回転して前記ラックと噛み合う時にラックの上昇高度が二つの乾燥ベルトの間隔の高度距離より大きい。 
【００１３】
更に、前記ローリングホイールの連結端のロープの牽引力が前記回転生薬下ろし板の一端の前記ロープの牽引力より大きい。 
【発明の効果】
【００１４】
本発明の有益効果は：本発明は構成が簡単で、操作が便利であり、該装置が作動する時、含水量が比較的に高い生薬を乾燥ベルトで上下にひっくり返せ、生薬を循環に乾燥させ、乾燥効率を上げ、該装置が作動する時に排出された熱風が除湿された後に装置の中で循環に使用され、余熱を有効的に利用し、これによりエネルギーを節約して汚染物や二酸化炭素などの排出を削減する目的を果たし、装置が機械の伝動により作業の効率を上げる。 
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１６】
【図１】図１は本発明の実施例の構成模式図
【図２】図２は本発明の実施例の正面構成模式図
【図３】図３は本発明の実施例の左面構成模式図
【図４】図４は本発明の実施例の押し送り機構の部分断面の正面拡大構成模式図
【図５】図５は本発明の実施例の回転生薬下ろし板の全断面の上面拡大構成模式図
【図６】図６は本発明の実施例の伝動機構の部分断面の上面拡大構成模式図
【図７】図７は本発明の実施例のスライドチャンバの全断面の正面拡大構成模式図
【発明を実施するための形態】
【００１７】
図１〜７に記載の漢方生薬乾燥装置の機械構成図を参照し、本発明の漢方生薬乾燥装置は、主にボディー外殻１を含み、前記ボディー外殻１の中には乾燥チャンバ２８と輸送チャンバ３とが設置され、前記ボディー外殻１の上端面にはモータ６と前記乾燥チャンバ２８の中へ風を吹かせるエアヒータ１０とが設置され、前記モータ６の前側には装置に動力を提供する駆動機構６３が設置され、前記乾燥チャンバ２８の中には乾燥輸送機構６５と押し送り機構６６とが設置され、前記押し送り機構６６は回転生薬下ろし板３２を含み、前記乾燥チャンバ２８の下端壁にはＴ型支持ブロック３４が設置され、また前記Ｔ型支持ブロック３４の上端が前記回転生薬下ろし板３２とヒンジにより連結され、前記回転生薬下ろし板３２の下端には二つの支持ばね３３が固定され、前記支持ばね３３の下端が前記Ｔ型支持ブロック３４と固定的に連結され、前記Ｔ型支持ブロック３４の下端には前記Ｔ型支持ブロック３４の上下昇降を制御するラック３６が固定され、前記ラック３６の下端が前記乾燥チャンバ２８の下端壁を貫通し、且つ前記輸送チャンバ３の中に位置しており、前記輸送チャンバ３の右端壁には支持板３７が固定され、前記ラック３６の下端が前記支持板３７の左端を貫通し、前記回転生薬下ろし板３２の中には上方へ開口し、且つ左端壁が前記乾燥チャンバ２８に連通された移動チャンバ５５が設置され、前記移動チャンバ５５の前後端壁の中にはいずれも前記移動チャンバ５５に連通された移動溝５７が形成され、前記移動チャンバ５５の中にはスライド板３０が設置され、前記スライド板３０が復帰ばね５６により前記移動チャンバ５５の右端壁と連結され、前記スライド板３０の前後両端にはいずれも一端が前記移動溝５７の中に位置している遮りブロック５４が固定され、前記乾燥チャンバ２８の後端壁には方形ブロック２５が固定され、前記乾燥チャンバ２８の後端壁にはまた固定軸２６が固定され、前記固定軸２６には固定滑車２７が回転できるように連結され、前記回転生薬下ろし板３２の右端には引きひも２９が連結され、前記回転生薬下ろし板３２の下端面にはまた固定ブロック３５が固定され、前記固定ブロック３５の前端には旋転軸６１が回転できるように連結され、前記旋転軸６１にはロールブラインド輪５９が固定され、前記旋転軸６１と前記固定ブロック３５とが捻りばね６０により連結され、前記ロールブラインド輪５９には下端が前記乾燥チャンバ２８の下端壁と連結されたロールブラインド５８が巻きついており、前記輸送チャンバ３の中には伝動機構８３が設置され、前記伝動機構８３が前記乾燥輸送機構６５の動力を前記押し送り機構６６に伝達でき、前記押し送り機構６６が第二乾燥ベルト１９にある生薬を第一乾燥ベルト２０に転送でき、これにより生薬を循環に乾燥させることが実現される。 
【００１８】
有益的には、前記駆動機構６３は前記モータ６の前端と動力が伝達できるように連結されたモータ軸８を含み、前記モータ軸８の前端には第一スプロケット６２が設置され、前記乾燥チャンバ２８の後端壁には二本の第一回転軸１８と二本の第二回転軸１６とが回転できるように連結され、前記輸送チャンバ３の後端壁には二本の第三回転軸５が回転できるように連結され、左側の前記第一回転軸１８と左側の前記第二回転軸１６と、左側の前記第三回転軸５との前端がいずれも外部空間の中に位置しており、前記第一回転軸１８の前端には第二スプロケット１７が固定され、前記第二回転軸１６の前端には第三スプロケット１５が固定され、前記第三回転軸５の前端には第四スプロケット４が固定され、前記第一スプロケット６２がチェーン６４により前記第二スプロケット１７と、前記第三スプロケット１５と、前記第四スプロケット４と連結され、前記エアヒータ１０の上端と前記乾燥チャンバ２８の上端壁とが導風管１４により連通され、前記エアヒータ１０の前端にはファン軸１２が回転できるように連結され、前記ファン軸１２の前端には第一ベルトプーリ１１が固定され、前記モータ軸８にはまた第二ベルトプーリ７が固定され、前記第一ベルトプーリ１１と前記第二ベルトプーリ７とがベルト９により連結され、前記導風管１４には除湿ブロック２３が連結され、前記導風管１４の中には湿度センサー２４が設置され、前記乾燥チャンバ２８の上端壁及び前記輸送チャンバ３の左端壁にはいずれも外部空間に連通された抜き孔２１が設置され、前記抜き孔２１の中には前記抜き孔２１の開閉を制御する電磁スイッチ２２が設置されている。 
【００１９】
有益的には、前記乾燥輸送機構６５は二本の前記第一回転軸１８の後端に固定された二つの第一ローラ８０を含み、二本の前記第二回転軸１６の後端にはいずれも第二ローラ８１が固定され、二つの前記第一ローラ８０が前記第一乾燥ベルト２０により連結され、二つの前記第二ローラ８１が前記第二乾燥ベルト１９により連結され、二本の前記第三回転軸５の後端にはいずれも第三ローラ８２が固定され、二つの前記第三ローラ８２が伝送ベルト２により連結されている。 
【００２０】
有益的には、前記伝動機構８３は右側の前記第三回転軸５と連結されたスライドギヤ６７を含み、前記スライドギヤ６７の中には前方へ開口した環状チャンバ５２が設置され、前記環状チャンバ５２の中には移動ブロック６８が設置され、前記乾燥チャンバ２８の下端壁の中には前記輸送チャンバ３に連通された貫通孔４２が設置され、前記乾燥チャンバ２８の下端壁の中にはまた前記貫通孔４２を貫通しているスライドチャンバ４５が設置され、前記スライドチャンバ４５の中には電磁石４６及び前記電磁石４６と反発し合えるまたは吸引し合える移動板４３が設置され、前記移動板４３の左端にはロープ４４が固定され、前記ロープ４４の上端が前記スライドチャンバ４５の上端壁と前記輸送チャンバ３の前端壁とを貫通し、且つ前記移動ブロック６８と連結され、前記輸送チャンバ３の前端壁には後端が前記スライドギヤ６７と接触した圧縮ばね５１が二つ固定され、右側の前記第三回転軸５の右側には後端が前記輸送チャンバ３の後端壁と回転できるように連結された従動軸３８が設置され、前記従動軸３８には半ギヤ３９と従動ギヤ４８とが設置され、前記従動ギヤ４８の左端が前記スライドギヤ６７と噛み合うように連結され、前記半ギヤ３９が前記半ギヤ３９の右側の前記ラック３６と噛み合うように連結され、前記従動軸３８の前側には前端が前記輸送チャンバ３の前端壁と回転できるように連結された転び軸５０が設置され、前記転び軸５０にはローリングホイール４９と前記スライドギヤ６７と噛み合える固定ギヤ７０とが固定され、前記引きひも２９が前記固定滑車２７の上端を通し、また前記輸送チャンバ３の中に設置された前記ローリングホイール４９と連結されている。 
【００２１】
装置全体の機械作動の順序は： 
【００２２】
１：モータ６が起動し、モータ軸８を連動させて反時計回りに回転させ、これにより第二ベルトプーリ７を連動させて反時計回りに回転させ、これにより、ベルト９により連結された第一ベルトプーリ１１を連動させて回転させ、これによりエアヒータ１０を連動させて作動させ、乾燥チャンバ２８の中へ熱風を輸送し、導風管１４により乾燥チャンバ２８の中の空気を循環させ、また除湿ブロック２３により空気の中の水分を吸収し、熱風が生薬を乾燥させ、これにより熱風の循環を実現する。 
【００２３】
２：モータ軸８の回転が第一スプロケット６２を連動させて回転させ、これにより第二スプロケット１７と、第三スプロケット１５と、第四スプロケット４とを連動させて反時計回りに回転させ、第三スプロケット１５が時計回りに回転し、第四スプロケット４が反時計回りに回転し、第二スプロケット１７が回転することにより第一乾燥ベルト２０を反時計回りに輸送させることを実現し、第三スプロケット１５が時計回りに回転することにより第二乾燥ベルト１９を連動させて時計回りに輸送させ、第四スプロケット４が反時計回りに回転することにより伝送ベルト２を連動させて反時計回りに輸送させる。 
【００２４】
３：上側の電磁スイッチ２２を入れ、生薬を第一乾燥ベルト２０に置いて乾燥させ、生薬が乾燥の標準に達する前に第一乾燥ベルト２０により第二乾燥ベルト１９に輸送され、乾燥の標準に達していない生薬が第二乾燥ベルト１９により回転生薬下ろし板３２まで輸送されて積り、半ギヤ３９とラック３６とが噛み合った時、右側の第三回転軸５が回転してスライドギヤ６７を連動させて回転させ、これにより従動ギヤ４８を連動させて回転させ、これにより同じ軸の半ギヤ３９を連動させて回転させ、これによりラック３６を連動させて上昇させ、これによりＴ型支持ブロック３４と回転生薬下ろし板３２とを上昇させ、同時にロールブラインド５８が引き上げられ、捻りばね６０が捻られ、生薬を引き続きに右方へ輸送することを防止し、回転生薬下ろし板３２が引き続きに上昇して上方の方形ブロック２５に当たる時に、回転生薬下ろし板３２が傾斜し、この時に回転生薬下ろし板３２の中のスライド板３０が左方へ滑り出し、スライド板３０の左端を第一乾燥ベルト２０の上端面と接触させ、生薬がスライド板３０により再び第一乾燥ベルト２０に輸送されて乾燥され、半ギヤ３９が歯のない部分まで回転した時、ラック３６が半ギヤ３９との噛み合いから離脱し、ラック３６が下方へ落ちて復帰し、スライド板３０が復帰ばね５６の作用のもとで初期位置に戻り、ロールブラインド５８が捻りばね６０の作用のもとで復帰し、生薬が改めて回転生薬下ろし板３２で積る。 
【００２５】
４：生薬を乾燥終えた時、導風管１４の中の湿度センサー２４が電磁石４６を制御し、電磁石４６が移動板４３を吸引して左方へ運動させ、この時に貫通孔４２が開き、移動板４３が左方へ運動すると同時にロープ４４を引き締め、ロープ４４がロープ４４のもう一端と連結されたスライドギヤ６７を引き動かして前方へ運動させ、最後にスライドギヤ６７が固定ギヤ７０と噛み合い、これにより転び軸５０にあるローリングホイール４９を連動させて回転させ、これにより引きひも２９を巻き上げ、固定滑車２７により回転生薬下ろし板３２を引き動かして傾斜させ、これにより乾燥終えた生薬が貫通孔４２から伝送ベルト２に落ち、この時に下側の電磁スイッチ２２を入れ、生薬を運び出す。 
【００２６】
５：乾燥終えた生薬を運び出した後、乾燥待ちの生薬をあらためて入れ、湿度センサー２４が反応して再び電磁石４６を制御し、これにより電磁石４６が作動して再び移動板４３を押し動かして貫通孔４２を閉じ、スライドギヤ６７が圧縮ばね５１の作用のもとで復帰して改めて従動ギヤ４８と噛み合い、装置全体の復帰を完了とする。 
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は省エネルギーの漢方生薬乾燥装置を開示した。    
【解決手段】
主にボディー外殻を含み、前記ボディー外殻の中には乾燥チャンバと輸送チャンバとが設置され、前記ボディー外殻の上端面にはモータと前記乾燥チャンバの中へ風を吹かせるエアヒータとが設置され、前記モータの前側には装置に動力を提供する駆動機構が設置され、本発明は構成が簡単で、操作が便利であり、該装置が作動する時、含水量が比較的に高い生薬を乾燥ベルトで上下にひっくり返せ、生薬を循環に乾燥させ、乾燥効率を上げ、該装置が作動する時に排出された熱風が除湿された後に装置の中で循環に使用され、余熱を有効的に利用し、これによりエネルギーを節約して汚染物や二酸化炭素などの排出を削減する目的を果たし、装置が機械の伝動により作業の効率を上げる。
【選択図】図１【図１】
0006753010.tif 000002
【図２】
0006753010.tif 000003
【図３】
0006753010.tif 000004
【図４】
0006753010.tif 000005
【図５】
0006753010.tif 000006
【図６】
0006753010.tif 000007
【図７】
0006753010.tif 000008